(57)【要約】      （修正有）【課題】主に建築物の円柱の周りや、鉄道車両内の転倒防止用手すり、または網棚端部等の円柱部分または円筒部分に取付可能な広告表示装置を提供する。【解決手段】軸心部１と、その外周に回動可能に設けられ少なくとも一部が透明である外筒部２とを備え、広告物２ａを外筒部に設けられたスリット２ｂ部分から挿入し、外筒部２を回動させることで、これらの手順のみで広告物を設置することができ、取り外し時も同様の手順のみで済むので、煩雑さという手間の問題が解消され、広告物の設置または取り外し時の時間的制約にも応じることができる。また、既存の建造物の円柱のみならず、天井から床まで連続した円柱がない場所であっても、広告表示装置への取り付け部を備えることでそのような場所においても設置が可能であり、さらには鉄道車両内の網棚手前の手すりなどの横方向の円筒状構造など、従来の円柱用広告表示装置よりも幅広い場面に応用することができる。【選択図】図１
0003189182.tif 000002
【実用新案登録請求の範囲】
【請求項１】
円筒状または円柱状である軸心部（１）と、
前記軸心部の円筒または円柱面の外周に回動可能に設けられ少なくとも一部が透明である外筒部（２）と、
前記外筒部に設けられたスリット部（２ｂ）と、
前記外筒部と前記軸心部との間に設けられた広告収納部（３）とを備え、
前記外筒部は、前記スリット部と前記広告収納部とが一致する位置と相違する位置の双方に対応するように回動可能である広告表示装置。
【請求項２】
円筒状または円柱状であり少なくとも一部が透明である軸心部（１）と、
前記軸心部の円筒または円柱面の外周に回動可能に設けられ少なくとも一部が透明である外筒部（２）と、
前記外筒部に設けられたスリット部（２ｂ）と、
前記軸心部に設けられた広告収納部（４）と、
前記広告収納部に設けられた広告挿入口部（６）とを備え、
前記外筒部は、前記スリット部と前記広告挿入口部とが一致する位置と相違する位置の双方に対応するように回動可能である広告表示装置。
【請求項３】
前記広告収納部（３）・（４）を複数備えた請求項１または２記載の広告表示装置。
【請求項４】
複数の前記広告収納部（４）の各広告挿入口部（６）のうちのいくつかを共通して設けた請求項３記載の広告表示装置。
【請求項５】
前記軸心部の円筒の軸方向に対して直交方向における前記広告収納部（４）の断面が、直線状である請求項２記載の広告表示装置。
【請求項６】
前記軸心部の円筒の軸方向に対して直交方向における前記広告収納部（４）の断面が、前記軸心部の円筒の外周の円弧とは逆向きの円弧状である請求項２記載の広告表示装置。
【請求項７】
前記軸心部の円筒の軸方向に対して直交方向における前記広告収納部（４）の断面が、前記軸心部の円筒の外周の円弧と同方向の円弧状である請求項２記載の広告表示装置。
【請求項８】
前記外筒部の回動を規制する回動規制部を備えた請求項１または２記載の広告表示装置。
【請求項９】
前記広告収納部に広告保持部（５）を備えた請求項１または２記載の広告表示装置。
【請求項１０】
前記広告保持部が、前記広告収納部のうち、広告が挿入されるのとは反対側の位置に設けられた請求項９記載の広告表示装置。
【請求項１１】
前記広告保持部がチャック部材からなる請求項９または１０記載の広告表示装置。
【請求項１２】
前記外筒部が複数の分割円筒部（２ｅ）からなる請求項１または２記載の広告表示装置。
【請求項１３】
前記外筒部に設けられたスリット部が前記分割円筒部の突合せ部分の空隙（２ｆ）により形成された請求項１２記載の広告表示装置。
【請求項１４】
前記外筒部の円筒の軸方向の一方または両方に、前記複数の分割円筒部を円筒状に固定する固定部（１ｄ）・（７）を備えた請求項１２記載の広告表示装置。
【請求項１５】
前記軸心部が円筒状であるとともに、複数の分割軸心部（１ｂ）からなる請求項１２から１４記載の広告表示装置。
【請求項１６】
前記軸心部として既存の建造物の円筒状部または円柱状部を用いた請求項１５記載の広告表示装置。
【請求項１７】
広告の挿入時または取り出し時において、前記外筒部に設けられたスリット部の開口方向が、広告収納部の広告収納方向と略同一である請求項１または２記載の広告表示装置。
【請求項１８】
前記外筒部および／または軸心部の透明部分にレンズ部を備えた請求項１または２記載の広告表示装置。
【請求項１９】
前記軸心部および／または外筒部の軸方向の一方または双方に、取り付け部（１０）を備えた請求項１または２記載の広告表示装置。
【考案の詳細な説明】
【技術分野】
【０００１】
本考案は、主に建築物の円柱の周りや、鉄道車両内の転倒防止用手すり、または網棚端部等の円柱部分または円筒部分に取付可能な広告表示装置に関する。
【背景技術】
【０００２】
従来から、駅構内など人通りの多い場所の円柱の外周には、宣伝効果が大きく見込まれることから広告ポスター等の広告物が貼り付けられて掲示されている。たとえば、建築物の円柱の全周にわたって設置される内層材と内層材を覆う外層材の間に広告スペースを備えた広告装置がある（たとえば特許文献１参照）。
【先行技術文献】
【特許文献】
【０００３】
【特許文献１】特開２００５−１２８１７９号公報
【考案の概要】
【考案が解決しようとする課題】
【０００４】
しかしながら、例えば特許文献１に記載された広告装置は、広告物の設置時には、内層材に広告物を貼り付けた後、別途、その上から外層材を覆いかぶせなければならないものであった。また、広告物を取り外す際は、上記設置時と逆の段階を踏んで取り外す必要があり、広告物の差し替えにおいて煩雑かつ時間を要するという問題があった。
【０００５】
広告の業界では、例えば、鉄道車両の広告を念頭におくと、夜間鉄道車両が走っていない間にすべての広告物を取り替える必要があり、実務上、時間的な制約によって、広告の取扱量に限界が生じていた。しかしながら、特許文献１に記載された広告装置では、このような時間的制約に対する解決策を提示するものとしては十分とはいえない。
【０００６】
さらに、特許文献１に記載された広告装置は、設置する建築物の柱にある程度の太さが必要となり、設置場所が限定されるものであった。また、特許文献１に記載された広告装置は、例えば鉄道車両の鉄道車両内の網棚手前の手すりなど、横方向の円筒状構造には応用できないものであった。
【０００７】
そこで、本考案は、上記問題点に鑑み、広告物の設置および取り外しが簡便に行え、よって広告を張替える所要時間を短縮することができるなど、作業効率に優れること、さらに設置する建築物の柱の太さに関わらず、広く適用が可能であること、そして、天井から床までの柱がなくとも広告表示装置自体に取り付け部を備えることで任意の場所に広告表示装置の設置が可能となるものであること、また、例えば鉄道車両の鉄道車両内の網棚手前の手すりなど、横方向の円筒状構造に対しても適用できる広告表示装置を提供すること、を目的とする。
【課題を解決するための手段】
【０００８】
前記目的を達成するため、本考案において以下の技術的手段を講じた。すなわち、本考案の第１の手段は、円筒状または円柱状である軸心部と、前記軸心部の円筒または円柱面の外周に回動可能に設けられ少なくとも一部が透明である外筒部と、前記外筒部に設けられたスリット部と、前記外筒部と前記軸心部との間に設けられた広告収納部とを備え、前記外筒部は、前記スリット部と前記広告収納部とが一致する位置と相違する位置の双方に対応するように回動可能であることを特徴とする広告表示装置である。
【０００９】
前記の課題を解決するための本考案の第２の手段は、円筒状または円柱状であり少なくとも一部が透明である軸心部と、前記軸心部の円筒または円柱面の外周に回動可能に設けられ少なくとも一部が透明である外筒部と、前記外筒部に設けられたスリット部と、前記軸心部に設けられた広告収納部と、前記広告収納部に設けられた広告挿入口部とを備え、前記外筒部は、前記スリット部と前記広告挿入口部とが一致する位置と相違する位置の双方に対応するように回動可能であることを特徴とする広告表示装置である。
【００１０】
前記の課題を解決するための本考案の第３の手段は、前記広告収納部を複数備えたものである。
【００１１】
前記の課題を解決するための本考案の第４の手段は、複数の前記広告収納部の各広告挿入口部（６）のうちのいくつかを共通して設けたものである。
【００１２】
前記の課題を解決するための本考案の第５の手段は、前記軸心部の円筒の軸方向に対して直交方向における前記広告収納部の断面が、直線状であるものである。
【００１３】
前記の課題を解決するための本考案の第６の手段は、前記軸心部の円筒の軸方向に対して直交方向における前記広告収納部の断面が、前記軸心部の円筒の外周の円弧とは逆向きの円弧状であるものである。
【００１４】
前記の課題を解決するための本考案の第７の手段は、前記軸心部の円筒の軸方向に対して直交方向における前記広告収納部の断面が、前記軸心部の円筒の外周の円弧と同方向の円弧状であるものである。
【００１５】
前記の課題を解決するための本考案の第８の手段は、前記外筒部の回動を規制する回動規制部を備えたものである。
【００１６】
前記の課題を解決するための本考案の第９の手段は、前記広告収納部に広告保持部を備えたものである。
【００１７】
前記の課題を解決するための本考案の第１０の手段は、前記広告保持部が、前記広告収納部のうち、広告が挿入されるのとは反対側の位置に設けられたものである。
【００１８】
前記の課題を解決するための本考案の第１１の手段は、前記広告保持部がチャック部材からなるものである。
【００１９】
前記の課題を解決するための本考案の第１２の手段は、前記外筒部が複数の分割円筒部からなるものである。
【００２０】
前記の課題を解決するための本考案の第１３の手段は、前記外筒部に設けられたスリット部が前記分割円筒部の突合せ部分の空隙により形成されたものである。
【００２１】
前記の課題を解決するための本考案の第１４の手段は、前記外筒部の円筒の軸方向の一方または両方に、前記複数の分割円筒部を円筒状に固定する固定部を備えたものである。
【００２２】
前記の課題を解決するための本考案の第１５の手段は、前記軸心部が円筒状であるとともに、複数の分割軸心部からなるものである。
【００２３】
前記の課題を解決するための本考案の第１６の手段は、前記軸心部として既存の建造物の円筒状部または円柱状部を用いたものである。
【００２４】
前記の課題を解決するための本考案の第１７の手段は、広告の挿入時または取り出し時において、前記外筒部に設けられたスリット部の開口方向が、広告収納部の広告収納方向と略同一であるものである。
【００２５】
前記の課題を解決するための本考案の第１８の手段は、前記外筒部および／または軸心部の透明部分にレンズ部を備えたものである。
【００２６】
前記課題を解決するための本考案の第１９の手段は、前記軸心部および／または外筒部の軸方向の一方または双方に、取り付け部を備えたものである。
【考案の効果】
【００２７】
本考案により、外筒部に設けられたスリット部から広告収納部に向けて広告物を容易に挿入または出し入れすることができる。また、広告物が広告収納部から若干はみ出した状態において、外筒部を回動させることで、外筒部との関係では、あたかも広告物の端が吸い込まれるように外筒部および軸心部との間、または軸心部の広告収納部に収まることで、容易に広告物を設置することができる。
【００２８】
すなわち広告物をスリット部から挿入し、外筒部を回動するという手順のみで広告物を設置することができるので、煩雑さという手間の問題が解消され、時間的制約にも応じることができるようになる。さらに、広告物の取り外し時も、上記設置時と逆の手順を踏めば、広告物が広告収納部からはみ出した部分とスリット部が一致する位置で、広告物の端部がスリット部を通じてつまみ出せる状態となるので、非常に簡便に広告物を取り外すことができることとなる。
【００２９】
また、広告収納部が複数あることで一種類または複数の広告物を外部に多方向に表示させることができる。
【００３０】
ここで、軸心部内部に広告収納部を複数設置する場合は、広告挿入口部を共通させることにより、一つの広告挿入口部から例えば二方向に広告物を挿入することもできる。
【００３１】
また、軸心部内部に設置された前記広告収納部の断面を直線状とすることで、広告物を外部に対し平面的に表示させることができる。また、広告物の素材が堅い紙状のものであっても、容易に広告物を挿入することができる。
【００３２】
また、軸心部内部に設置された前記広告収納部の断面を外周の円弧と同方向の円弧状とすることで、上記断面が直線状である場合と比較して、広告収納部をより広く取ることができ、広告収納部の外側部分が円弧状となっていることより、屈曲率の違いによって広告物の見せ方を変化させることができる。
【００３３】
また、軸心部内部に設置された前記広告収納部の断面を外周の円弧とは逆向きの円弧状とすることで、視線が前記広告物の中心部分に集まる形で表示させることができる。また、上記断面が直線状である場合と比較して、広告収納部をより広く取ることができ、前記広告収納部の断面を外周の円弧と同方向の円弧状とする場合と同様、広告収納部の外側部分が円弧状となっていることより、屈曲率の違いによって広告物の見せ方を変化させることができる。
【００３４】
また、外筒部に回動規制部を設置することで、外筒部の回動に適宜制御をかけることができ、広告物の収納または取り外しの際に、外筒部を適切な箇所に設置することができる。また、広告収納時の外筒部の回動を防止することができる。
【００３５】
また、広告保持部が備えられていることで、広告物の収納時または広告物を設置しているときに、例えば広告物が保持されている状態からはがれてしまうなどすることで起こる、広告収納部内でのずれを防止することができるという効果を奏することができる。
【００３６】
また、前記広告保持部が、前記広告収納部のうち、広告が挿入されるのとは反対側の位置に設けられたことにより、前期広告保持部が広告の挿入を邪魔することを防ぐことができる。
【００３７】
また、前記広告保持部がチャック部材からなることにより、簡易に広告保持部を備えることができるとともに、粘着剤等により広告が汚れることを防ぐことができる。
【００３８】
また、外筒部が複数の分割円筒部からなることで、外筒部の取り付けが容易になるという効果が得られる。
【００３９】
また、前記外筒部に設けられたスリット部が前記分割円筒部の突合せ部分の空隙により形成されることにより、スリットの形成が容易となるものである。
【００４０】
また、外筒部の円筒の軸方向の一方または両方に、前記複数の分割円筒部を円筒状に固定する固定部を設置することで、前記外筒部の分割円筒部が軸心部へ取り付けられた状態から分離する状態を防止することができ、また、前記分割円筒部からなる前記外筒部を円筒状に固定した状態にすることができるという効果を奏することができる。
【００４１】
また、前記軸心部が円筒状であるとともに、複数の分割軸心部からなることで、既存の建造物の円柱等への取り付けが容易になるという効果が得られる。
【００４２】
また、前記軸心部として既存の建造物の円筒状部または円柱状部を用いることで、広告表示装置の設置できる範囲が大きく広がるものである。
【００４３】
また、広告の挿入時および取り出し時において、外筒部に設けられたスリット部の開口方向が、広告収納部の広告収納方向と略同一である場合には、広告物をスリット部からよりスムーズに挿入および取り外すことができる。
【００４４】
また、外筒部および／または軸心部の透明部分にレンズ部を備えることで、広告収納部に収納された広告物を外部に拡大した形で表示することができるという効果を奏することができる。また、広告に単調な模様を付している場合も、前記レンズによって異次元的な模様に見せることができ、通行人等の興味を引くことによって当該広告への視線を集めることが可能となる。
【００４５】
本考案の広告表示装置は既存の建造物の円柱のみならず、天井から床まで連続した円柱がない場所であっても、広告表示装置自体に他の部材への取り付け部を備えることでそのような場所においても設置が可能であり、さらには鉄道車両内の網棚手前の手すりなどの横方向の円筒状構造など、従来の円柱用広告表示装置よりも幅広い場面に応用することができる。
【００４６】
また、前記外筒部および／または軸心部円筒の軸方向の一方または双方に、他の部材への取り付け部を備えることで、様々な場所に本考案にかかる広告表示装置を設置することができる。
【００４７】
これにより、本考案にかかる広告表示装置は従来の広告表示装置の設置方向に加え、横方向への設置も可能となるため、例えば鉄道車両の鉄道車両内の網棚手前の手すりなど、従来の広告表示装置よりもより幅広い範囲に応用できる広告表示装置を提供することができる。
【図面の簡単な説明】
【００４８】
【図１】（ａ）は広告表示装置の外筒部および軸心部の斜視図であり、図１（ｂ）は図１（ａ）Ａ‐Ａでの断面図、および図１（ｃ）は軸心部の広告収納部の拡大図である。なお、説明の便宜上、図１（ａ）、（ｂ）いずれもその上方を断面にて表示している。
【図２】（ａ）は外筒部および軸心部にストッパーが設定された載置台を備えた場合の広告表示装置の斜視図、図２（ｂ）は図２（ａ）のＢ‐Ｂでの断面図である。なお、説明の便宜上、図２（ａ）上方を断面にて表示している。
【図３】（ａ）は外筒部が複数の分割円筒部からなる場合の組み立て前の斜視図、図３（ｂ）は組み立て後の外筒部および軸心部の斜視図、図３（ｃ）は固定部が備えられた場合の外筒部上部の拡大図、および図３（ｄ）はＣ‐Ｃでの断面図である。なお、説明の便宜上、図３（ｂ）、（ｃ）いずれもその上方を断面にて表示している。
【図４】（ａ）は複数の外筒部が蝶番により接続される場合の一実施形態、および図４（ｂ）は軸心部が蝶番により接続される場合の一実施形態を示した斜視図である
【図５】（ａ）は、複数の外筒部が蝶番により接続される場合の組み立て後の外筒部の斜視図、図５（ｂ）は、軸心部が複数の分割軸心部からなる場合の組み立て後の軸心部の斜視図である。
【図６】既存の建造物の柱への取り付け方の一例を示した広告表示装置の斜視図である。
【図７】広告表示装置を鉄道車両内の網棚手前の手すりなど横向きに取り付けた場合の一例を示した広告表示装置の斜視図である。
【図８】軸心部に広告収納部が設けられた場合の軸心部および外筒部との関係を、外筒部の上方を一部切断して内部の軸心部分を見えるように示した斜視図である。
【図９】（ａ）〜（ｃ）は軸心部に設けられた広告収納部の一例を示した軸心部の断面図である。
【考案を実施するための形態】
【００４９】
次に、本考案の実施形態を図面に即して説明する。ただし、本考案はかかる例示のみに限定されるものではない。
【００５０】
第１の考案の手段を実施する形態として、本考案にかかる広告表示装置１１は、図１（ａ）に示すように円筒状の軸筒（以下、軸心部１という）と、軸心部１の円筒の外周に設けられた円筒状の外筒（以下、外筒部２という）とからなる。前記外筒部２は前記軸心部１に対して、回動可能に設けられている。
【００５１】
ここで、前記軸心部１は、円筒状だけではなく、内部が充填した円柱状の構造であってもよく、素材は特に限定されるものではないが、好適には、金属またはプラスチックを用いることができる。
【００５２】
また、前記外筒部２は、外筒部２全体が透明素材からなる構造であるか、または第１広告収納部の位置する箇所に透過部が設けられていてもよい。透明素材としては、透明プラスチックとして、例えば、アクリル樹脂、またはポリ塩化ビニルなどを用いることができ、特にポリメタクリル酸メチル樹脂、ポリカーボネート、ポリスチレン、ポリエチレンテレフタレート、ポリプロピレン、ポリエチレンなどを用いることができるが、これに限定されるものではない。また、透明素材は適用場所に応じて適宜選択し、例えば荷重がかかる場所においては、ポリカーボネートが好適である。
【００５３】
図１（ａ）に示すように、第１広告収納部３は前記外筒部２と前記軸心部１との間に備えられ、また、前記外筒部２は、その側面にスリット２ｂを設けている。
【００５４】
また、図１（ｂ）および（ｃ）に示すように、前記第１広告収納部３には、挿入された広告物の一方の端部を固定するための広告保持部５が備えられる。このようにすることで、広告物の収納時または広告物を設置しているときに、広告物が保持されている状態からはがれてしまうなどすることで起こる、広告収納部３内でのずれを防止するという効果を奏することができる。前記広告保持部５としては、例えばチャック部材、接着テープ等の粘着部材等を用いることができる。
【００５５】
広告物を収納する際は、前記スリット２ｂから広告物を挿入し、挿入した広告物を前記広告保持部５で保持させた状態で、回動可能である前記外筒部２を、前記広告物が前記第１広告収納部３に端から端まで収納されるまでＤ３方向に回動させることで、前記外筒部２のスリット２ｂ部分から前記広告物を端から端まですべて、外部に広告物がはみ出ることなく前記第１広告収納部３に収納することができる。
【００５６】
ここで、図１（ｂ）で示すように、前記外筒部２のスリット２ｂ部分の開口方向２ｃ、前記第１広告収納部３の広告収納方向と一致させることにより、広告物をスリット２ｂ部分からよりスムーズに挿入することができ、前記外筒部２を回動するという手順のみで広告物を収納することができる。
【００５７】
また、前記第１広告収納部３において、図１（ｂ）および（ｃ）に示すように、例えばバネ部材１ａを前記軸心部１から前記外筒部２に向かって径方向Ｄ２に備えさせることで、広告物の取り出し時に、バネ部材の弾性力によって、広告物の取り出しをより容易に行えるようにすることができる。
【００５８】
広告物を取り外す際は、上記手順とは逆の手順を踏めばよい。すなわち、前記外筒部２を、前記第１広告収納部３の端のうち、広告保持部５とは反対側の端に一致する場所までＤ３方向に回動させることで、前記外筒部２のスリット２ｂ部分から広告物の一部分がはみ出ることとなるので、前記広告物のはみ出た前記一部分をつまみ出すことで、前記広告物をスリット２ｂ部分からスムーズに取り外すことができる。
【００５９】
また、前記外筒部２のスリット２ｂ部分の開口部の一部分を、例えば指が入る程度に切り欠いた切り欠き部２ｄを設置しておくことで、前記スリット２ｂ部分から、前記広告物をよりスムーズに取り外すことができる。
【００６０】
前記第１広告収納部３は複数設置されていてもよい。このようにすることで一種類または複数の広告物を外部に多方向に表示させることができ、また、様々なサイズの広告物に対応できるという効果を奏することができる。
【００６１】
ここで、例えば図２（ａ）で示すように、前記外筒部２の底面側に載置台９ａを設置し、前記載置台９ａに前記外筒部２をはめ込むための溝９ｂを設置し、広告収納時は図２（ｂ）で示すように、前記溝９ｂ内に前記外筒部２がはめこまれた状態で、前記溝９ｂの外周から軸中心に向かった径方向Ｄ２に、予め設置されたストッパー９ｃが前記外筒部２に設定されることで、前記外筒部２の回動を規制することができる。なお、前記ストッパー９ｃは、前記外筒部２の外周から軸中心に向かって設けたが、前記溝９ｂの溝内に設けて、前記外筒部２の軸方向Ｄ１に設けてもよい。
【００６２】
このように回動規制部としてストッパー９ｃを設置することで、前記外筒部２の回動に適宜制御をかけることができ、広告物の収納または取り外しの際に、外筒部２を適切な箇所に設置することができる。また、広告収納時の外筒部２の回動を防止することができるという効果を奏することができる。
【００６３】
なお、広告を収納した状態で回動を規制した後は、管理者以外の者が前記外筒部２を回動することができないように鍵をかける等すると、広告の盗難等を防止でき、さらに好適である。
【００６４】
外筒部２は、図３（ａ）に示すように複数の分割円筒部２ｅからなっていてもよい。このようにすることで、前記外筒部２の側面部にスリット２ｂを設けなくても、後述するように、各分割円筒部２ｅの突合せ部分の空隙２ｆによってもスリット２ｂ部分を形成することができるという効果を奏することができる。また、前記外筒部２を分割可能とすることで、前記軸心部１への取り付けが容易になるという効果を奏することもできる。
【００６５】
なお、前記スリット部分は、図３（ａ）で示すように、前記分割円筒部２ｅの突合せ部分の空隙２ｆにより形成すると簡便であるが、もちろん、それぞれの分割円筒部２ｅの側面に別途設けられていてもよい。
【００６６】
また、回動可能な前記分割円筒部２ｅからなる外筒部２の上部および／または下部には、例えば図３（ｃ）で示すように、一部開口構造を有する例えば金属素材のリングが備えられ、例えば前記リングの開口部分をネジなどで締めることで、締め付け力でもって前記分割円筒部２ｅからなる外筒部２の固定部７とすることができる。
【００６７】
このような固定部７を設置することで、前記分割円筒部２ｅからなる前記外筒部２を円筒状に固定した状態とすることができる。
【００６８】
外筒部２が複数の分割円筒部２ｅからなっている場合には、図３（ｄ）で示すように、例えば前記分割円筒部２ｅ各々の下部に、径方向Ｄ２における軸心方向に予め設置されたストッパー２ｇが設定され、軸心部１に嵌合することで、前記外筒部２の回動を規制することができる。
【００６９】
このように回動規制部を設置することで、外筒部２が複数の分割円筒部２ｅからなっている場合であっても、前記外筒部２の回動に適宜制御をかけることができ、広告物の収納または取り外しの際に、外筒部２を適切な箇所に設置することができる。また、広告収納時の外筒部２の回動を防止することができるという効果を奏することができる。
【００７０】
また、前記外筒部２が分割円筒部２ｅになっている場合においても、図示はしないが、例えば底面側に載置台９ａを設置し、前記載置台９ａに外筒部２をはめ込むための溝９ｂを設置し、広告収納時は前記溝９ｂ内に外筒部２がはめこまれた状態で、前記溝９ｂの外周から軸中心に向かった径方向Ｄ２に、予め設置されたストッパー９ｃが各外筒部２の分割円筒部２ｅに設定されることで、前記各外筒部２の分割円筒部２ｅの回動を規制することができる。なお、ストッパー９ｃを軸方向Ｄ１に設けても良いことも前記のとおりである。
【００７１】
前記外筒部２の分割円筒部２ｅは、図４（ａ）で示すように、これらを蝶番８ａなどでつなぎ合わせ、前記外筒部２の円筒の軸方向に対して直交方向に可動できるようにしてもよい。このようにすることで、より容易に前記外筒部２を軸心部１に取り付けることが可能となる。
【００７２】
この場合、前記蝶番８ａを設置する場所として、例えば前記分割円筒部２ｅの突合せ部分の円筒軸の上部および下部、また、必要に応じて前記上部および下部の間の複数個所に、前記蝶番８ａを設置してもよい。
【００７３】
前記蝶番８ａによって分割円筒部２ｅを円筒上に固定する場合には、図５（ａ）に示すように、前記分割円筒部２ｅに留具２ｈとして、例えば樹脂素材からなるバックルを設置し外筒部２としてもよい。
【００７４】
また、前記軸心部１についても、図４（ｂ）および図５（ｂ）で示すように、複数の分割軸心部１ｂからなっていてもよい。この場合、前記複数の分割軸心部１ｂ各々の突合せ部分の上下部分について、固定部１ｄとして、例えば金属素材の角型からなる固定部材を設置することができる。
【００７５】
さらに、前記軸心部１についても、図４（ｂ）で示すように、これらを前記蝶番８ｂなどでつなぎ合わせ、前記軸心部１の円筒の軸方向に対して直交方向に可動できるようにしてもよい。
【００７６】
この場合、前記蝶番８ｂを設置する場所として、前記外筒部２と同様に、例えば前記分割円筒部２ｅの突合せ部分の円筒軸の上部および下部、また、必要に応じて前記上部および下部の間の複数個所に、前記蝶番８ｂを設置してもよい。
【００７７】
このようにすることで、より容易に前記軸心部１を例えば既存の建築物の柱などの円筒状部または円柱状部（以下「円筒状構造等」という。）に取り付けることが可能となる。
【００７８】
また、前記軸心部１および前記外筒部２からなる広告表示装置１１は、取り付け部１０を設置することにより、前記広告表示装置１１全体について取り付けおよび取り外しを可能とすることができる。
【００７９】
さらに、前記広告表示装置が、前記分割軸心部１ｂからなる円筒状の軸心部１、および同様に前記分割円筒部２ｅからなる外筒部２である場合には、図６に示すように、既存の建造物の円筒状構造等に取り付けることができる。この場合、例えば、軸心部１および／または外筒部２の軸方向Ｄ１の双方に、例えば前記取り付け部１０を設置してもよい。
【００８０】
この場合、前記取り付け部１０として、例えば内部に溝を有する金属または樹脂素材のリングを建造物の天井または床部分に設置し、広告表示装置１１の外筒部２を前記取付け部１０のリングに設けた溝に設置することで、前記取付け部１０によって前記広告表示装置１１全体を既存の建造物の円筒状構造等に取り付けることができる。
【００８１】
なお、前記取り付け部１０の代わりに、前記載置台９ａを用いてもよい。前記載置台９ａに広告表示装置１１を設置する場合には、上記のように、前記載置台９ａに前記外筒部２をはめ込むための溝９ｂを設置し、前記溝９ｂ内に前記外筒部２がはめこまれた状態とすることで、前記載置台９ａによっても前記広告表示装置１１全体を既存の建造物の円筒状構造等に取り付けることができる。
【００８２】
なお、既存の建造物の円筒状構造等に取り付けられるように、取り付け部１０または前記載置台９ａにおいても、分割可能な構造となっている。
【００８３】
このように、外筒部２の双方に、取り付け部１０または前記載置台９ａを取り付けることで、例えば建造物の天井から床に渡って本考案にかかる広告表示装置１１を取り付けることができる。
【００８４】
なお、建造物の天井から床に渡って本考案にかかる広告表示装置１１を取り付ける場合には、取付け時および／または取り外し時の便宜を考慮して、前記取付け部１０または前記載置台９ａの内部に、軸心部１および／または外筒部２の軸心方向Ｄ１にバネ部材を備えさせることで、バネ部材の弾性力によって、軸心部１および／または外筒部２の取付けおよび／または取り外しをより容易に行うことが可能となる。
【００８５】
また、建造物の天井から床に渡って本考案にかかる広告表示装置１１を取り付ける場合には、管理者以外のものが前記広告表示装置１１を取り外すことができないように、例えば各部材に鍵をかける等すると、広告表示装置の盗難等を防止でき、さらに好適である。
【００８６】
本考案にかかる広告表示装置１１は、図７に示すように、前記外筒部２および前記軸心部１が、各々複数の分割円筒部２ｅおよび分割軸心部１ｂからなっている場合には、例えば鉄道車両内の網棚手前の手すりなど、既存の横方向の円筒状構造等にも取り付けることができる。
【００８７】
第２の考案の手段を実施する形態は、図８および図９（ａ）から（ｃ）の断面図に示すように、本考案にかかる広告表示装置１１において、第２広告収納部４を、第１広告収納部３のように前記外筒部２と前記軸心部１との間に備えるのではなく、前記軸心部１の内部に設けるものである。この場合、前記軸心部１は、軸心部１全体が透明素材からなる構造であるか、軸心部１のうち前記第２広告収納部４の外側部分が透明になっている構造であってもよい。透明素材としては、透明プラスチックとして、例えば、アクリル樹脂、またはポリ塩化ビニルなどを用いることができ、特にポリメタクリル酸メチル樹脂、ポリカーボネート、ポリスチレン、ポリエチレンテレフタレート、ポリプロピレン、ポリエチレンなどを用いることができるが、これに限定されるものではない。また、透明素材は適用場所に応じて適宜選択し、例えば荷重がかかる場所においては、ポリカーボネートが好適である。
【００８８】
なお、前記外筒部２についても、外筒部２全体が透明素材からなる構造であるか、または第２広告収納部の位置する箇所に透過部が設けられていてもよい。図８は図９（ａ）に示す軸心部に設置された第２広告収納部４と、外筒部２とを示した斜視図である。
【００８９】
前記軸心部１の内部に第２広告収納部４を設置する場合も、複数の前記第２広告収納部４を設置することができる。また、図９（ａ）に示すように前記外筒部２の円筒の軸方向に対して直交方向における前記第２広告収納部４の断面が、直線状である状態で設けてもよく、図９（ｂ）に示すように前記外筒部２の円筒の外周の円弧とは逆向きの円弧状の状態で設けてもよく、または、図９（ｃ）に示すように前記外筒部２の円筒の外周の円弧と同方向の円弧上の状態で設けてもよい。なお、前記外筒部２の円筒の軸方向に対して直交方向における前記第２広告収納部４の断面が、図９（ｂ）に示すように前記外筒部２の円筒の外周の円弧とは逆向きの円弧状の状態で設ける場合は、事実上、前記軸心部１は円筒状ではなく円柱状となることが多いと考えられる
【００９０】
このようにすることで、図９（ａ）に示すように前記外筒部２の円筒の軸方向に対して直交方向における前記第２広告収納部４の断面が、直線状である状態である場合には、一種類および／または複数の広告物を外部に対し多方向にかつ平面的に表示させることができ、広告物の素材が堅い紙状のものであっても、容易に広告物を挿入することができる。図９（ｂ）に示すように前記外筒部２の円筒の外周の円弧とは逆向きの円弧状の状態で設けた場合には、一種類および／または複数の広告物を外部に対し、視線が前記広告物の中心部分に集まる形で、かつ多方向に表示させることができ、または、図９（ｃ）に示すように前記外筒部２の円筒の外周の円弧と同方向の円弧状の状態で設けた場合には、一種類および／または複数の広告物を外部に対し多方向に表示させることができるという効果を奏することができ、屈曲率の違いによって広告物の見せ方を変化させることができる。また、図９（ｂ）および（ｃ）に示すように前記第２広告収納部４を円弧状に設けた場合には、直線状である場合と比較して、広告収納部をより広く取ることができる。
【００９１】
さらに、図９（ａ）から（ｃ）の断面図に示すように、前記第２広告収納部４に広告挿入口部６を設け、広告収納時には、前記外筒部２のスリット２ｂ部分および広告挿入口部６部分の位置を合わせた上で、広告物をスムーズに挿入し、回動可能である前記外筒部２を、前記広告物が前記第２広告収納部４に端から端まで収納されるまで回動させることで、前記広告物が前記外筒部２のスリット２ｂ部分および前記広告挿入口部６部分からはみ出すことを防ぐことができる。
【００９２】
広告物を取り外す際は、上記手順とは逆の手順を踏めばよい。すなわち、前記外筒部２のスリット２ｂ部分を、前記広告挿入口部６部分に一致する方向まで回動させることで、前記外筒部２のスリット２ｂ部分および前記広告挿入口部６部分から広告物の一部分がはみ出ることとなるので、前記広告物のはみ出た前記一部分をつまみ出すことで、前記広告物を前記スリット２ｂ部分および前記広告挿入口部６部分からスムーズに取り外すことができる。
【００９３】
また、図８で示すように、前記外筒部２のスリット２ｂ部分の開口部の一部分を、例えば指が入る程度に切り欠いておき切り欠き部２ｄとし、さらに前記第２広告収納部４の前記広告挿入口部６部分の一部分についても、同様にたとえば指が入る程度に切り欠いておき切り欠き部１ｃとすることで、前記スリット２ｂ部分および前記広告挿入口部６から、前記広告物をよりスムーズに取り外すことができる。
【００９４】
すなわち、軸心部内部に広告収納部を複数設置する場合は、広告挿入口部６を共通させることにより、一つの広告挿入口部から例えば二方向に広告物を挿入することもできる。
【００９５】
さらに、以下、第１の実施形態にも共通するが、前記外筒部２および／または前記軸心部の透明部分には、レンズ部を備えていてもよい。このようにすることで、前記第１広告収納部３および／または第２広告収納部４に収納された広告物を外部に拡大した形で表示することができるという効果を奏することができる。また、広告に単調な模様を付している場合も、前記レンズによって異次元的な模様に見せることができ、通行人等の興味を引くことによって当該広告への視線を集めることが可能となる。
【００９６】
本考案にかかる広告表示装置１１の具体的なサイズとして、既存の建造物の円筒状構造等を用いた場合、例えば縦が約２０００ミリメートル、周囲が約６０００ミリメートルのものが考えられる。また、例えば鉄道車両内の網棚手前の手すりなどに設置する場合、長さ約１０００ミリメートル、周囲が約１５０ミリメートルのものが考えられる。
【００９７】
また、本考案にかかる広告表示装置１１の作製方法の一例として、例えば透明プラスチックを透明素材として使用した場合、射出成形または３Ｄプリンターを用いた設計および作製が考えられる。例えば射出成形での作製が困難であるような複雑なデザインの場合であっても、３Ｄプリンターを用いることで一体的な形成が可能となる。また、金属を素材として用いた場合には、押出成形による作製を採用することが考えられる。
【００９８】
以上のとおり、本考案の広告表示装置１１によれば、広告物をスリット部から挿入し、または外筒部を回動するという手順のみで広告物を設置することができ、取り外し時もスリット部から広告物をつまみだすか、またはさらに外筒部を回動させるという手順のみで済むので、煩雑さという手間の問題が解消され、広告物の設置または取り外し時の時間的制約に応じることができる。
【００９９】
また、本考案の広告表示装置１１は既存の建造物の円柱のみならず、天井から床まで連続した円柱がない場所であっても、広告表示装置１１自体に他の部材への取り付け部を備えることでそのような場所においても設置が可能であり、さらには鉄道車両内の網棚手前の手すりなどの横方向の円筒状構造など、従来の円柱用広告表示装置１１よりも幅広い場面に応用することができる。
【符号の説明】
【０１００】
Ｄ１  軸方向
Ｄ２  径方向
Ｄ３  回転方向
１    軸心部
１ａ  バネ部材
１ｂ  分割軸心部
１ｃ  切り欠き部
１ｄ  固定部
２    外筒部
２ａ  広告物
２ｂ  スリット
２ｃ  開口方向
２ｄ  切り欠き部
２ｅ  分割円筒部
２ｆ  空隙
２ｇ  ストッパー
２ｈ  留具
３  第１広告収納部
４  第２広告収納部
５  広告保持部
６  広告挿入口部
７  固定部
８ａ  蝶番
８ｂ  蝶番
９ａ  載置台
９ｂ  溝
９ｃ  ストッパー
１０  取付け部
１１  広告表示装置
【図１】
0003189182.tif 000003
【図２】
0003189182.tif 000004
【図３】
0003189182.tif 000005
【図４】
0003189182.tif 000006
【図５】
0003189182.tif 000007
【図６】
0003189182.tif 000008
【図７】
0003189182.tif 000009
【図８】
0003189182.tif 000010
【図９】
0003189182.tif 000011